(57)【要約】      （修正有）【課題】靴の皮革表面にしっかり貼れて剥がし易い飾りつき靴シールを貼ることにより、手軽で安価に、古い靴でも一瞬で華やかなステージ、パーティ用に最も適した靴に変える。【解決手段】ドレスに合わせた色の靴や新しい靴を買いたいという欲求を安価にすばやく満たすのが各種各デザインのステージ、パーティ用おしゃれ靴シールでありしっかり貼れて剥がし易いシール糊で加工したシール２００を単純な靴の展開図の形にカットして靴全体を覆う全面シールと様々な形にカットされビーズやスパンコールを飾りつけたアクセサリー感覚のプチシールやテープシール、そしてやはりビーズやスパンコールで飾りつけてあるがプチシールより大き目のシールを靴の前方上面に貼る部分シール等を用途に合わせて使い分ける事が出来、貼るだけで瞬時に古い靴が新品同様にかつ華やかになる靴用おしゃれシール２００。【選択図】図１
2009285134.tif 000002
【特許請求の範囲】
【請求項１】
シール本体を、布、ソフトゴム、ポリエチレン、不織布等伸縮性の有る素材を図１の靴の展開図形にカット加工して、靴の素材である、皮、合皮等を傷めずしっかりと貼れ剥がれ易くしたシール糊を用いて靴に貼る事により瞬時に普通の靴をステージ、パーティ用に変えられる着脱の簡便な靴用おしゃれ全面シール。                    
【請求項２】
アルミ加工された光る紙に図７の様な５ｍｍの切れ込みを２ｍｍおきに２,５ｍｍづつずらして全体に入れ伸縮自在な素材にして靴の素材である皮、合皮等を傷めず、貼り易く剥がし易くしたシール糊を用いて靴に貼る事により瞬時に普通の靴をステージ、パーティ用に変えられる、着脱の簡便な請求項１に記載の靴用おしゃれ全面シール。
【請求項３】
ソフトゴムやポリエチレン素材等のシールをハート形、涙形、花形、動物形、リボン形、にんぎょう形、星形、菱形、傘形、目形、手形、足形、葉っぱ形、四葉のクローバー形、蝶形、鳥形等々にカットした遊び目的のある着脱の簡便な靴用おしゃれプチシール。
【請求項４】
シールを花形、菱形、半月形、アルファベット形等にカットしたものを靴前方上面に貼り、ドレスの裾から見える部分だけを目立せる事を目的とした着脱の簡便な舞台靴用おしゃれ部分シール
【請求項５】
テープ状のシールを、サンダルの素材を傷めずしっかりと貼れ剥がれ易くしたシール糊を用いてサンダルのベルトに貼る事により瞬時に普通のサンダルをステージ、パーティ用に変えてしまう着脱の簡便なテープ状おしゃれサンダルシール
【請求項６】
シール本体は全てラメ入りやアルミ加工素材等を用い華やかさを特徴とした光沢素材の請求項１、２、３、４、５、に記載のおしゃれ靴シール
【請求項７】
シール全体にスパンコールを縫いつけ、あるいは貼り付けステージ、パーティで目立つ事を目的としたスパンコール付きの請求項１、３、４、５、に記載のおしゃれ靴シール。
【請求項８】
シール全体にスパンコールと共に、或いは単独で、金、銀、を含む各色のビーズを縫いつけ或いは貼り付けたステージ、パーティで目立つ事を目的とするビーズ付きの請求項１、３、４、５、に記載のおしゃれ靴シール。
【請求項９】
スパンコールやビーズの間によく光る石を貼り付けライトの下で一際輝く事を目的とした請求項１、３、４、５、に記載のおしゃれ靴シール
【請求項１０】
靴に貼った全面シールを剥がし易くする為、図４の様にシールの後方踵上部に接着糊の付かない飾り部分１７を設け、飾り部分を抓み下方に向け引っ張る事で、簡単にシールが剥がれる事を特徴とした抓み用飾り付きの請求項１、２、に記載の、靴用おしゃれ全面シール。
【請求項１１】
透明で張りの有るフィルム素材を使用して薔薇や向日葵などの造花や飾り用リボン結びを作成し、しっかり貼れ剥がし易いシールの接着面ではない方にフィルム素材で出来た造花等の底辺部を糊付けし靴前面上部に貼る事により目立つおしゃれを目的とした透明立体靴用おしゃれシール
【請求項１２】
ソフトゴム素材の色調は原色を主に全てメタリック仕上げにして無地でも華やかで目立つ事を特徴とした靴用おしゃれ全面シール
【発明の詳細な説明】
【技術分野】
【０００１】
本発明は靴を装飾するシールに関する発明である。
【背景技術】
【０００２】
従来、靴は買い換えない限り色や飾りは変えられなかった。またドレスや服に合わせて靴を探そうとしても思い通りの靴にはなかなかめぐり会えないし、ドレスや服を買い換える度に靴も合わせて買うのは主婦にとっては経済的負担がかなり厳しいとも言える。本来カラオケの舞台やパーティにおいては人より目立ちたいものだが思い切り派手な靴は特注以外では手に入れる事が出来ない現状では結局何にでも合わせられる地味目の靴などで我慢する他なかった。
【発明の開示】
【発明が解決しようとする課題】
【０００３】
本発明は前記従来の問題点に鑑みて開発されたものであり、靴の皮革表面にしっかり貼れて剥がし易い技術を施した飾りつき靴シールを貼ることにより、手軽で安価、なによりも今までの自分の靴を目立たせることを目的とした為、古い靴でも一瞬で華やかなステージ、パーティ用に最も適した靴に変えることができる事を特徴とした。
【課題を解決するための手段】
【０００４】
シールを貼るだけでキラキラ光る靴も普段履けない原色の靴も履く事が出来、剥がし易いシールなのですぐに普通の靴に戻す事が可能である。これにより女性の足元のおしゃれの可能性がかなり広がると期待される。さらに靴全体にシールを貼るよりもっと自由に靴を飾りたい時は、ハート形、
涙形、花形、動物形、リボン形、にんぎょう形、星形、菱形、傘形、目形、手形、足形、葉っぱ形、四葉のクローバー形、鳥形、蝶形等のプチシールを図３の様に靴の前方上面や甲被側面、或いは靴後方やヒールにも何枚も貼って楽しむ事が出来るし試みとしてスカートの裾などへ靴と同じシールを貼って楽しむ事も考えられる。このシールは使用範囲も無限である。
【０００５】
また、時間に余裕がない時には部分シールや立体シールを靴前方上面に貼る事により手軽に靴の前半分を華やかに飾れるためドレスの裾から覗く靴の前半分のおしゃれが数秒で完了する上に舞台上でのおしゃれ度が十分に上がる。
【０００６】
シールは貼りやすい事も大事だが、特に靴用においては剥がし易い事も大事な要素である為にシールには各工夫を施した。全面シールは図４の１７の様な飾りを付けて飾りを抓んで下方へ引っ張る事によりシール１８面の横に付けたミシン目が破け全面シールを靴後方から簡単に剥がす事が出来、プチシール、部分シールに於いてはシールの周囲の縁から内側へ１ｍｍ、テープシールはシール幅の片方の縁の部分１ｍｍに糊を塗布せずその部分に爪を引っ掛けてシールを捲る事によりシールを剥がし易くした。
【０００７】
履き飽きたサンダルや古いサンダルにはスパンコールや中央部分にガラスのダイヤもの等を貼り付けたテープ状おしゃれシールをサンダルのベルトの長さに合わせて切って貼るだけで、ステージ用、さらにはアフター５用としての使用が可能であり、ヒール部分にプチシールを貼ればさらにおしゃれ度が増して新しくサンダルを買うより安価に足元のおしゃれが楽しめる。
【実施例】
【０００８】
図１は全面シールの形状と靴の側面図、上面図を用いたシールの使用説明図である。まずシール２００の９を靴本体のつま先１に貼り合わせ、靴のつま先１シールのつま先部位９を基点に左右の靴底の外縁にシールの外縁を合わせ靴の左右の側面７、８を経て踵６に向かいシールを左右からそれぞれ貼り合わせていくと靴５にシール１３、１５が、靴の踵６にシールの１４、１６が当たる。シール１３、１４の延長上にある１８面を下にしてシール１３と１５、シール１４と１６をきちんと合わせて貼る事により作業完了。きれいな仕上がりにするには靴の履き口をしっかり指先で押さえ余ったシールは靴の内側へと折り込み靴とシールの隙間を無くしておく事により簡単に靴と一体化するステージ用おしゃれ前面シールの使用説明図。        
【０００９】
図２はソフトゴム素材の使用例であり使用提案の斜視図である。ソフトゴム素材は主に原色無地を特徴とし、２４色のメタリック色を展開する。
【００１０】
図３は、もっとも手軽に使える部分シールと立体シールを靴１００のつま先１と前方上面３の間と、靴１００の側面甲被周辺、及びヒールにプチシールを貼り目立つ事を目的とするおしゃれ部分シール及びプチシールの使用説明図。
【００１１】
図４は全面シールの剥がし方の説明図である。シール２００の１３、１５の部位上、靴１００の５の部位上にあるシール２００の飾り抓み部分１７を抓んで下へ引っ張る事によりシール２００の１８面の横に設けたミシン目Aが破れシールを剥がし易くする。
【００１２】
図５は靴１００のつま先、踵などの微妙な膨らみやカーブにシールが自然にフィットする為に必要な伸縮性を最大限生かす為シールの裏面の糊は細かい網目状とする為、シール裏面の糊の網目状塗布の拡大説明図。
【００１３】
図６は請求項２に記載のアルミ加工された紙シールを靴のつま先や踵などの微妙な膨らみやカーブに無理なくフィットさせる為にシール全面に５ｍｍの細かい切り込みを入れ伸縮性を保持させた、紙面切り込みの拡大説明図。
【００１４】
図７はテープシールとサンダルの斜視図を用いテープシールの使用例を示した。
【図面の簡単な説明】
【００１５】
【図１】全面シールの展開図と靴の側面上面を使った説明図
【図２】ソフトゴム素材の使用例
【図３】部分シールとプチシールの使用説明図
【図４】シールを剥がし易くする為に設けた飾りと糊面の説明図
【図５】シール裏の糊の塗布状態の説明図
【図６】アルミ加工紙の切り込みの説明図
【図７】サンダル斜視図とテープシールの使用説明図
【符号の説明】
【００１６】
１００  靴本体
２００  シール  
３００  サンダル本体
４００  前面部分シール
５００  プチシール
１から８、靴のつま先から靴の踵まで
９から１８、シールのつま先部からシールの踵部まで
１９から２６、サンダルのベルトの根元
２７から３４、テープ状シールの各部位
３５から３７、部分シールの代表デザインの各部位
Aミシン目  
Bシール糊
C切り込み線
【図１】
2009285134.tif 000003
【図２】
2009285134.tif 000004
【図３】
2009285134.tif 000005
【図４】
2009285134.tif 000006
【図５】
2009285134.tif 000007
【図６】
2009285134.tif 000008
【図７】
2009285134.tif 000009